(57)【要約】【課題】捨てられる排気ガスをリサイクルして取っ手を暖かくして、冬期の作業時、作業者の手冷えを防止し、作業効率を高めた排気ガスの熱をリサイクルする電動ノコギリを提供する。【解決手段】本発明は、エンジン駆動時、ケースの外に排出される排気ガスの熱をリサイクルする電動ノコギリに関し、より詳しくは、ケースから排気ガスが排出される排出部に吸入口が形成される蛇管形態の排気ガス吸入部と、前記排気ガス吸入部と連結され、内部が中空であり、一端に排気ガスが排出される排気ガス排出口が形成される取っ手部を含んでなり、排気ガスを取っ手部の内部に通過させて取っ手部を暖かくすることによって、冬期の作業時、作業者の手冷えを防止し、作業効率を高めた排気ガスの熱をリサイクルする電動ノコギリに関する。【選択図】図１
2018009560.tif 000002
【特許請求の範囲】
【請求項１】
ケース（１０）に内蔵されたエンジンの駆動時、前記ケース（１０）の外に排出される排気ガスの熱をリサイクルする電動ノコギリ（１００）において、
前記ケース（１０）から排気ガスが排出される排出部（１１）と向かい合った吸入口（１１１）が形成され、内部が中空である蛇管形態の排気ガス吸入部（１１０）と、
前記排気ガス吸入部（１１０）と連結管（１２１）により連結具備され、内部が中空であり、一端に排気ガス排出口（１２２）が形成される取っ手部（１２０）と、
を含んでなることを特徴とする、排気ガスの熱をリサイクルする電動ノコギリ。
【請求項２】
前記排気ガス吸入部（１１０）は、前記ケース（１０）にボルト結合される帯形態の据置手段（１１２）により前記ケース（１０）に固定結合されることを特徴とする、請求項１に記載の排気ガスの熱をリサイクルする電動ノコギリ。
【請求項３】
前記排気ガス吸入部（１１０）は前記取っ手部（１２０）に突出形成される連結管（１２１）に外挿され、かつ一定間隔離隔するように連結設置されることを特徴とする、請求項１に記載の排気ガスの熱をリサイクルする電動ノコギリ。
【発明の詳細な説明】
【技術分野】
【０００１】
本発明は、エンジン駆動時、ケースの外に排出される排気ガスの熱をリサイクルする電動ノコギリに関し、より詳しくは、ケースから排気ガスが排出される排出部に吸入口が形成される蛇管形態の排気ガス吸入部と、前記排気ガス吸入部と連結され、内部が中空であり、一端に流入した排気ガスが排出される排気ガス排出口が形成される取っ手部を含んでなり、捨てられる排気ガスを取っ手部の内部に通過させて取っ手部を暖かくすることで、冬期の作業時、作業者の手冷えを防止し、作業効率を高めた排気ガスの熱をリサイクルする電動ノコギリに関する。
【背景技術】
【０００２】
一般に、木の伐木や木材の切断には手動方式のノコギリが使われたが、最近には便利性及び効率性の高い電動ノコギリが広く用いられている。
【０００３】
このような電動ノコギリは、電気を供給を受けて動作するか、または内燃機関を構成して該当エンジンに軽油の供給を受けて動作する方式によりなされて、取っ手、エンジン部、及びチェーンソーで構成され、始動レバーを用いてエンジンを駆動した後、ノコギリを目的とする枝や木に接触させて、剪枝、切断などの作業を進行するようになる。
【０００４】
前記電動ノコギリはエンジンの力を用いて木の枝を切り、木を切り、木材をノコギリで引くために作業者が両手で取っ手を握って操縦するようになる。
【０００５】
このような電動ノコギリは室外で使われる場合が多いが、冬期にはケースが冷却され、ケースが冷却されれば取っ手部位が冷たくなるにつれて、作業者の手に冷気が伝えられて、作業者の手が冷たくなって作業満足度及び効率性が低くなる問題が発生する。
【０００６】
そして、冷気が持続的に伝えられれば、作業者の手が固まって作業効率の低下及び正確なグリップが困難で、作業時、事故の危険性に露出する問題が発生する。
【０００７】
最近、車両用熱線ハンドルのように、電気を用いてユーザの手が触れる部位を暖かくして酷寒期にユーザの満足度を高めた技術が公知されたことがあるが、携帯用電動工具の特性上、バッテリーを用いて電動工具の取っ手を加熱することには限界があるので、電力消耗を最小化し、電動工具の取っ手を加熱するための技術の開発が求められている。
【０００８】
このような問題を解決するために、特許文献１の取っ手ヒーティング機能を有する携帯用電動工具及びこれを用いた取っ手ヒーティング方法は、取っ手に電源の供給を受けて発熱するヒーティンググリップを形成したが、電気を用いて電動工具の取っ手をヒーティングするためにはバッテリーの消耗が発生し、電気的に連結するために内部構造が複雑になる短所があった。
【先行技術文献】
【特許文献】
【０００９】
【特許文献１】韓国登録特許第１０−１６１８６０８号公報
【特許文献２】韓国登録特許第１０−１１４２２６３号公報
【特許文献３】韓国公開特許第１０−２０１０−０１１６５８７号公報
【発明の概要】
【発明が解決しようとする課題】
【００１０】
本発明は前記のような問題を解決するために考えたものであって、エンジンが駆動され、ケースの外に排出される排気ガスの一部を取っ手の内部に入るようにして排気ガスが取っ手の内部を通過するようにすることで、捨てられる排気ガスをリサイクルして取っ手を暖かくして、冬期の作業時、作業者の手冷えを防止し、作業効率を高めた排気ガスの熱をリサイクルする電動ノコギリを提供することをその目的とする。
【００１１】
また、本発明の他の目的は、排気ガスを吸入する管と取っ手とが接続される部分を固定せず、離隔して連結設置することによって、エンジン駆動時に発生する振動を吸収するようにする排気ガスの熱をリサイクルする電動ノコギリを提供することにある。
【課題を解決するための手段】
【００１２】
前記目的を達成するために、本発明は、ケース１０に内蔵されたエンジンの駆動時、前記ケース１０の外に排出される排気ガスの熱をリサイクルする電動ノコギリ１００において、前記ケース１０から排気ガスが排出される排出部１１と向かい合った吸入口１１１が形成され、内部が中空である蛇管形態の排気ガス吸入部１１０と；前記排気ガス吸入部１１０と連結管１２１により連結具備され、内部が中空であり、一端に排気ガス排出口１２２が形成される取っ手部１２０；を含む。
【００１３】
前記排気ガス吸入部１１０は、前記ケース１０にボルト結合される帯形態の据置手段１１２により前記ケース１０に固定結合される。
【００１４】
前記排気ガス吸入部１１０は、前記取っ手部１２０に突出形成される連結管１２１に外挿され、かつ一定間隔離隔するように連結設置される。
【発明の効果】
【００１５】
したがって、本発明に係る排気ガスの熱をリサイクルする電動ノコギリは、エンジン駆動時、ケースの外に排出される排気ガスの一部を排気ガス吸入部により取っ手部の内部に入るようにして、排気ガスが前記取っ手部を通過するようにすることで、排気ガスをリサイクルして前記取っ手部を暖かくして、冬期の作業時、作業者の手冷えを防止し、作業効率を高める効果がある。
【００１６】
また、本発明は前記排気ガス吸入部と取っ手部が連結される部分を固定せず、前記取っ手部に突出形成された連結管に蛇管形態の排気ガス吸入部を外挿して前記排気ガス吸入部と取っ手部を離隔させて連結設置することによって、エンジン駆動時に発生する振動を吸収するようにする効果がある。
【００１７】
また、本発明は前記取っ手部に滑り止めパッドを備えて、作業者の手が滑ることを防止する効果がある。
【図面の簡単な説明】
【００１８】
【図１】本発明の実施形態に係る排気ガスの熱をリサイクルする電動ノコギリの概略的な全体斜視図である。
【図２】本発明の実施形態に係る排気ガスの熱をリサイクルする電動ノコギリの一側面から見た斜視図及び部分拡大図である。
【図３】本発明の実施形態に係る排気ガスの熱をリサイクルする電動ノコギリの一側面から見た斜視図及び部分拡大図である。
【図４】本発明の実施形態に係る排気ガスの熱をリサイクルする電動ノコギリの反対側面から見た斜視図及び部分拡大図である。
【発明を実施するための形態】
【００１９】
以下、本発明の好ましい実施形態を添付した図面を参照して当該分野で通常の知識を有する者が容易に実施できるように説明する。
【００２０】
本発明は、図１から図４に示すように、ケース１０に内蔵されたエンジンの駆動時、前記ケース１０の外に排出される排気ガスの熱をリサイクルする電動ノコギリ１００において、
前記ケース１０から排気ガスが排出される排出部１１と向かい合った吸入口１１１が形成され、内部が中空である蛇管形態の排気ガス吸入部１１０と、
前記排気ガス吸入部１１０と連結管１２１により連結具備され、内部が中空であり、一端に排気ガスが排出される排気ガス排出口１２２が形成される取っ手部１２０を含んでなされる。
【００２１】
本発明の排気ガスの熱をリサイクルする電動ノコギリ１００は、ケース１０にエンジンが内蔵され、内燃機関を構成して軽油などの燃料の供給を受けて、エンジンが動作するように構成され、始動レバーを操作してエンジンを駆動させれば、チェーンソーが回転し、排気ガスをケース１０の外に排出するようになる。
【００２２】
前記排気ガスは前記ケース１０の一面に形成される排出部１１を通じて排出され、前記排出部１１の向い側には前記排気ガス吸入部１１０の吸入口１１１が配置される。
【００２３】
前記吸入口１１１は内部が中空である蛇管形態の排気ガス吸入部１１０の一端に通孔で形成具備され、前記ケース１０の排出部１１から排出される排気ガスの一部が吸入されるように設けられる。
【００２４】
この際、前記排出部１１から排出される排気ガスの一部は外部に排出させ、一部のみ吸入口１１１を通じて前記排気ガス吸入部１１０に吸入されるようにして、前記取っ手部１２０があまり熱くならないように前記取っ手部１２０の温度を調節できるようになる。
【００２５】
前記排気ガス吸入部１１０の一端は前記ケース１０一面にボルト結合される帯形態の据置手段１１２により前記ケース１０に固定結合される。
【００２６】
前記排気ガス吸入部１１０は終端が前記取っ手部１２０に突出形成される連結管１２１に外挿連結され、かつ一定間隔離離隔するように設置される。
【００２７】
前記排気ガス吸入部１１０は断面が円形の蛇管形態からなり、前記取っ手部１２０の連結管１２１に外挿されるように前記連結管１２１に対応する厚さで備えられ、前記連結管１２１に挟まれて密着され、かつエンジン駆動時、前記延長管１２１に対して前後に移動できるようになる。
【００２８】
前記排気ガス吸入部１１０を前記取っ手部１２０と一定間隔離隔させて前記連結管１２１に対して前後に移動できるように設置することによって、エンジン駆動時に発生する振動を前記排気ガス吸入部１１０で吸収できるようにする。
【００２９】
前記取っ手部１２０は熱伝導率の良いアルミニウムからなり、外周面にゴム材質の滑り止めパッドを備えて、エンジン駆動時に発生する振動により作業者の手が取っ手部１２０から滑ることを防止するようになる。
【００３０】
前記取っ手部１２０の連結管１２１は、前記排気ガス吸入部１１０から取っ手部１２０の内部に排気ガスが移動できるように前記取っ手部１２０を貫通する内部が中空の管で形成される。
【００３１】
前記取っ手部１２０は一端に形成された排気ガス排出口１２２を通じて前記連結管１２１に入った排気ガスが取っ手部１２０を通過して排出できるようにする。
【００３２】
したがって、本発明の実施形態に係る排気ガスの熱をリサイクルする電動ノコギリ１００は、エンジン駆動時、ケース１０の外に排出される排気ガスの一部を前記排気ガス吸入部１１０を通じて前記取っ手部１２０の内部に入るようにして、排気ガスが取っ手部１２０を通過するようにすることで、捨てられる排気ガスをリサイクルして取っ手部１２０を暖かくして、冬期の作業時、作業者の手冷えを防止し、作業効率を高める効果がある。
【００３３】
また、本発明は前記排気ガス吸入部１１０と取っ手部１２０とが連結される部分を固定せず、前記取っ手部１２０に突出形成された連結管１２１に前記排気ガス吸入部１１０を連結して前記排気ガス吸入部１１０と取っ手部１２０を一定間隔離隔させて連結設置することによって、エンジン駆動時に発生する振動を前記排気ガス吸入部１１０で吸収するようにする効果がある。
【００３４】
また、本発明は前記取っ手部１２０に滑り止めパッドを備えて作業者の手が滑ることを防止する効果がある。
【符号の説明】
【００３５】
１０    ケース
１１    排出部
１００    排気ガスの熱をリサイクルする電動ノコギリ
１１０    排気ガス吸入部
１１１    吸入口
１１２    据置手段
１２０    取っ手部
１２１    連結管
１２２    排気ガス排出口
【図１】
2018009560.tif 000003
【図２】
2018009560.tif 000004
【図３】
2018009560.tif 000005
【図４】
2018009560.tif 000006